(57)【要約】【課題】支線の途中位置に玉がいし等の構造物が設けられていても地上からの簡単な操作で構造物を通過させて支線の上部位置に容易に設置できること。【解決手段】かずら防止器１００は、支線５０１に沿って所定長さを有する中空に形成され、支線５０１の途中位置に設けられる大径な玉がいし５０２の外径以上の内径を有する本体１０１と、本体１０１の長さ方向の両端にそれぞれ設けられ、本体１０１を支線５０１に沿って上方の位置に移動させた際の玉がいし５０２への接触により下方にのみ開放自在な蓋体１１０、１２０と、蓋体１１０、１２０を閉じる方向に付勢するねじりコイルバネ１１２、１２２と、を備える。【選択図】図１
2010222867.tif 000002
【特許請求の範囲】
【請求項１】
支線の途中位置に設けられ、当該支線に対するかずらの巻き付きを防止するかずら防止器において、
前記支線に沿って所定長さを有する中空に形成され、前記支線の途中位置に設けられる大径な構造物の外径以上の内径を有する本体と、
前記本体の長さ方向の両端にそれぞれ設けられ、前記本体を前記支線に沿って上方の位置に移動させた際の前記構造物への接触により下方にのみ開放自在な蓋体と、
前記蓋体を閉じる方向に付勢する付勢部材と、
を備えることを特徴とするかずら防止器。
【請求項２】
前記蓋体は、前記支線の通過位置を中心に２分割され、前記本体に対してそれぞれ開閉自在なことを特徴とする請求項１に記載のかずら防止器。
【請求項３】
前記本体には、前記支線に当該本体を固定する固定部材を備えたことを特徴とする請求項１または２に記載のかずら防止器。
【請求項４】
前記固定部材は、
前記本体の下端部に設けられ、前記支線を中心として環状に配置させた所定長のロックタイと、
前記本体に設けられ、前記ロックタイの一端部に連結され、当該一端部を巻き取ることにより、当該ロックタイを前記支線に締結させる回転部材と、
を備えたことを特徴とする請求項３に記載のかずら防止器。
【請求項５】
前記固定部材は、
前記蓋体に設けられ、当該蓋体から前記支線の方向にスライド自在に付勢されたことを特徴とする請求項３に記載のかずら防止器。
【請求項６】
前記蓋体には、前記支線の通過位置に、当該支線の径に対応した径を有し、当該支線に密に接する貫通孔が形成されたことを特徴とする請求項１〜５のいずれか一つに記載のかずら防止器。
【発明の詳細な説明】
【技術分野】
【０００１】
この発明は、電柱の支線に取り付けられ、支線へのかずらの巻き付きを防止するかずら防止器に関する。
【背景技術】
【０００２】
電柱には、この電柱の倒壊等を防止するために支線が取り付けられる。図１２は、電柱の支線に取り付けられるかずら防止器の例を示す図である。支線５０１は、地上面から電柱５００の上部位置までの間に渡り傾斜して張設されている。地上面から所定高さ（２．５ｍ以上）の位置には、絶縁用の玉がいし５０２が設けられている。この玉がいし５０２を介して支線５０１を設けることにより、支線５０１を途中位置で絶縁でき、支線５０１を通しての感電事故を防止できるようになっている。
【０００３】
かずら防止器５１０は、玉がいし５０２より上部位置の支線５０１に設けられる。隣接する樹木等から伸びたかずらが支線５０１を蔦って巻き上がり、架空電線に達すると地絡が生じ停電事故が発生する。かずら防止器５１０は、このかずらの巻き上がりを防止するために支線５０１の途中位置に設けられている。（たとえば、下記特許文献１、２を参照。）。
【０００４】
かずらは、支線５０１程度の細い径に対して巻き付くものであるため、かずら防止器５１０は、いずれも外径が１０数ｃｍと大径に形成されており、これにより、かずら防止器５１０へのかずらの巻き付きそのものを防止し、かずら防止器５１０の配置位置より支線５０１の上方へのかずらの巻き付きを防止できる。
【先行技術文献】
【特許文献】
【０００５】
【特許文献１】特開昭５９−７２３６１号公報
【特許文献２】登録実用新案第３１２３７９５号公報
【発明の概要】
【発明が解決しようとする課題】
【０００６】
しかしながら、従来は、支線５０１にかずら防止器５１０を容易に取り付けることができなかった。図１３は、かずら防止器の配置例を示す図である。仮に、図１３に示すように、玉がいし５０２より下部の位置、たとえば２．５ｍ以下の低い位置にかずら防止器５１０を取り付けると、樹木６００のかずら６０１は、このかずら防止器５１０より上部の位置から支線５０１に巻き付き、そのまま支線５０１の上部に蔦って巻き付いてしまう問題を生じる。これを防止すべく、支線５０１の高い位置にかずら防止器５１０を取り付けるには、高所作業車を用いる必要等が生じ、作業者１名でかずら防止器５１０を簡単に取り付けることができなかった。
【０００７】
支線５０１の低い位置でかずら防止器５１０を取り付け、このかずら防止器５１０を支線５０１の上方に押し上げることも考えられるが、この場合、支線５０１の途中位置に玉がいし５０２が設けられている場合には、この玉がいし５０２にかずら防止器５１０が当たり、玉がいし５０２が設けられた高さ位置以上の上部位置にかずら防止器５１０を移動させることができなかった。この場合、図１３に示したようなかずら６０１の巻き付きを防止することはできない。
【０００８】
この発明は、上述した従来技術による問題点を解消するため、支線の途中位置に玉がいし等の構造物が設けられていても地上からの簡単な操作で構造物を通過させて支線の上部位置に容易に設置できるかずら防止器を得ることを目的とする。
【課題を解決するための手段】
【０００９】
上述した課題を解決し、目的を達成するため、この発明にかかるかずら防止器は、支線の途中位置に設けられ、当該支線に対するかずらの巻き付きを防止するかずら防止器において、前記支線に沿って所定長さを有する中空に形成され、前記支線の途中位置に設けられる大径な構造物の外径以上の内径を有する本体と、前記本体の長さ方向の両端にそれぞれ設けられ、前記本体を前記支線に沿って上方の位置に移動させた際の前記構造物への接触により下方にのみ開放自在な蓋体と、前記蓋体を閉じる方向に付勢する付勢部材と、を備えることを特徴とする。
【００１０】
この発明によれば、かずら防止器を支線の低所の位置で取り付けた後、支線に沿ってかずら防止器を必要な高さ位置まで上方に移動させるだけで設置できる。この際、途中位置に玉がいし等の構造物があっても、この玉がいしを内部で通過させることができる。したがって、作業者１名で操作棒等を使用するだけでかずら防止器を必要な高さ位置まで簡単に移動させ、設置することができる。玉がいしを通過した後の状態においては蓋体は閉じた状態を保持するため、上方から玉がいしに接しても蓋体は開かず、少なくとも玉がいしより高所位置に設置でき、かずらの巻き付きを防止できる。
【００１１】
また、この発明にかかるかずら防止器は、上記の発明において、前記蓋体は、前記支線の通過位置を中心に２分割され、前記本体に対してそれぞれ開閉自在なことを特徴とする。
【００１２】
この発明によれば、蓋体を簡単な構成で開閉させることができ、かつ支線に対して密に接触できるようになる。
【００１３】
また、この発明にかかるかずら防止器は、上記の発明において、前記本体には、前記支線に当該本体を固定する固定部材を備えたことを特徴とする。
【００１４】
この発明によれば、固定部材の固定により、かずら防止器を支線の所望の高さ位置により強固に固定できるようになる。
【００１５】
また、この発明にかかるかずら防止器は、上記の発明において、前記固定部材は、前記本体の下端部に設けられ、前記支線を中心として環状に配置させた所定長のロックタイと、前記本体に設けられ、前記ロックタイの一端部に連結され、当該一端部を巻き取ることにより、当該ロックタイを前記支線に締結させる回転部材と、を備えたことを特徴とする。
【００１６】
この発明によれば、ロックタイを用いた簡単な構成でかずら防止器を支線の所望の高さ位置に強固に固定できるようになる。
【００１７】
また、この発明にかかるかずら防止器は、上記の発明において、前記固定部材は、前記蓋体に設けられ、当該蓋体から前記支線の方向にスライド自在に付勢されたことを特徴とする。
【００１８】
この発明によれば、蓋体に設けた固定部材により、蓋体が閉じた状態で支線に対し密に接してかずら防止器を支線の所望の高さ位置に強固に固定することができる。
【００１９】
また、この発明にかかるかずら防止器は、前記蓋体には、前記支線の通過位置に、当該支線の径に対応した径を有し、当該支線に密に接する貫通孔が形成されたことを特徴とする。
【００２０】
この発明によれば、蓋体が閉じたときに貫通孔が支線に密に接し、かずら防止器を支線の所望の高さ位置に固定できるようになる。
【発明の効果】
【００２１】
この発明にかかるかずら防止器によれば、支線の途中位置に玉がいし等の構造物が設けられていても地上からの簡単な操作で構造物を通過させて支線の上部位置に容易に設置できるという効果を奏する。
【図面の簡単な説明】
【００２２】
【図１】この発明にかかる実施の形態のかずら防止器を示す側断面図である。
【図２】かずら防止器の平面図である。
【図３】かずら防止器の支線への取り付け状態を示す図である（その１）。
【図４】かずら防止器の支線への取り付け状態を示す図である（その２）。
【図５】かずら防止器の支線への取り付け状態を示す図である（その３）。
【図６】かずら防止器の蓋体の開閉状態を示す動作図である。
【図７−１】固定部材を示す正面図である。
【図７−２】固定部材の使用状態を示す図である。
【図８】固定部材を備えたかずら防止器を示す下面図である。
【図９】固定部材を備えたかずら防止器を示す側断面図である。
【図１０】固定部材の締結による支線への固定動作を示す動作図である。
【図１１】固定部材を備えたかずら防止器の他の構成例を示す側断面図である。
【図１２】電柱の支線に取り付けられるかずら防止器の例を示す図である。
【図１３】かずら防止器の配置例を示す図である。
【発明を実施するための形態】
【００２３】
以下に添付図面を参照して、この発明にかかるかずら防止器の好適な実施の形態を詳細に説明する。
【００２４】
（実施の形態）
図１は、この発明にかかる実施の形態のかずら防止器を示す側断面図である。かずら防止器１００は、中空円筒状に形成された本体１０１がプラスチック等の樹脂により成形されたものであり、たとえば、長さ１３０ｃｍ、外周面１０１ａの直径が２０ｃｍである。
【００２５】
本体１０１の外周面１０１ａの直径は、支線５０１の径より大径に形成されており、かずらの巻き付きを防止するための値としては、たとえば、１２ｃｍを有していればよい。また、内周面１０１ｂの直径は、支線５０１の途中位置に設けられる玉がいし５０２の外周径より大きく形成されている。
【００２６】
そして、本体１０１の上端部と下端部には、それぞれ蓋体１１０、１２０が設けられ、対応してこの上端部と下端部には、蓋体１１０、１２０を収容する凹部１０１ｃが設けられる。これらの蓋体１１０、１２０は、いずれも支線５０１を中心として２分割されており、軸１１１、１２１を中心に開閉自在である。
【００２７】
軸１１１、１２１には、付勢部材１１２、１２２が介挿されている。図示の付勢部材１１２、１２２は、一端がかずら防止器１００側に係止され、他端が蓋体１１０、１２０に係止されたねじりコイルバネを用いた例である。付勢部材１１２、１２２により、蓋体１１０、１２０は、凹部１０１ｃ内において、常に一方（図中上方）に付勢されている。そして、蓋体１１０は、本体１０１の最上面に設けられた係止片１０１ｅに接し、また、蓋体１２０は、本体１０１の凹部１０１ｃの段差面１０１ｆに接して、それぞれ互いが平行な位置で停止保持され、本体１０１の内部を塞ぐことができる。
【００２８】
そして、上方からこの蓋体１１０、１２０に対する力が加われば、付勢部材１１２、１２２の付勢力に抗して蓋体１１０、１２０が下方に回動して蓋体１１０、１２０を空けることができる。すなわち、蓋体１１０、１２０は、下方にのみ開閉することができ、上方から玉がいし５０２が接触したときに開き、玉がいし５０２を内部通過させることができる（詳細は後述する）。
【００２９】
図２は、かずら防止器の平面図である。図には、一方の蓋体１１０について記載したが、他方の蓋体１２０についても同様の構成である。図示のように、蓋体１１０、１２０は矩形状に形成され、中央で２分割されている。また、この中央部に位置する蓋体１１０、１２０の自由端部には、支線５０１の直径に対応した貫通孔１１０ｃが設けられ、支線５０１を挟み、かつ蓋体１１０、１２０は互いに閉じることができる。これにより、かずらが支線５０１に沿って上方に巻き付こうとしても、この蓋体１１０、１２０部分で防ぐことができる。
【００３０】
また、蓋体１１０、１２０は、支線５０１の各種径に適合させるべく、貫通孔１１０ｃ部分の径が支線５０１の径に対応したものに交換自在に構成してもよい。さらに、この貫通孔１１０ｃ部分には、ゴム等の弾性部材を設けてもよい。この弾性部材を設けることにより、蓋体１１０、１２０が閉じると支線５０１との接触状態を密に保持できるようになり、支線５０１からの滑落を防止し、かずら防止器１００を支線５０１に固定保持することができるようになる。この弾性部材は、支線５０１に接する内周の径は、支線５０１の外径に合わせて交換できるよう構成することもできる。
【００３１】
なお、上述したようなかずら防止器１００の内部を通過可能な玉がいし５０２の大きさ（直径Ｒ）は、蓋体１１０（１２０）の外径に接する径が最大径となる。本体１０１の内周面１０１ｂの直径は、この玉がいし５０２の直径Ｒより大きく形成する。この内周面１０１ｂは、円形に限らず、蓋体１１０（１２０）程度の矩形状に形成することもできる。
【００３２】
また、図２に示すように、本体１０１は、中央から２分割する構成としてもよい。２つの本体１０１Ａ、１０１Ｂにはそれぞれ図示しない凹凸により接合時に位置決めでき、不図示のねじ、あるいはバンドによる締結、あるいは接着等で互いの接合状態を固定する構成とすることができる。
【００３３】
次に、上記構成によるかずら防止器１００の支線５０１への取り付けについて説明する。図３〜図５は、それぞれかずら防止器の支線への取り付け状態を示す図である。まず、図３に示すように、地上面に対し低い位置で支線５０１にかずら防止器１００を取り付ける。この取り付けに際しては、上記のように２分割した本体１０１Ａ、１０１Ｂを支線５０１に取り付けてから互いに固定する。あるいは、支線５０１の施設時に支線５０１を本体１０１内部に貫通させておく。
【００３４】
この後、かずら防止器１００を支線５０１に沿って上方に移動させる。図６は、かずら防止器の蓋体の開閉状態を示す動作図である。図６に示すように、かずら防止器１００が玉がいし５０２の部分まで上方に移動させると、玉がいし５０２に接する。この後も、かずら防止器１００を上方に移動させていくと、玉がいし５０２が蓋体１１０の上方から接し、付勢部材１１２の付勢力に抗して蓋体１１０が下方に回動し、図示のように蓋体１１０が空き、図４に示すように、玉がいし５０２がかずら防止器１００の本体１０１内部に入り込む状態となる。この状態で、上方の蓋体１１０は閉じる。
【００３５】
なお、支線５０１に沿ってかずら防止器１００を上方に移動させているとき、蓋体１１０、１２０は、支線５０１に接するため少し開いた状態となるため、支線５０１に沿っての移動に支障はない。
【００３６】
この後もかずら防止器１００を上方に移動させていくと、次に、玉がいし５０２が蓋体１２０の上方から接し、付勢部材１２２の付勢力に抗して蓋体１２０が下方に回動し、蓋体１２０が空いて、図５に示すように、玉がいし５０２が、かずら防止器１００の本体１０１から外部に出る状態となる。蓋体１２０の動作は、蓋体１１０の動作と同じであるため、動作の図面は省略する。
【００３７】
この状態で、下方の蓋体１２０は閉じる。図４以降の状態でかずら防止器１００の本体１０１は、地上面から高い位置（たとえば２．５ｍより上方の位置）にあるため、図５に示すように、作業者はかずら防止器１００が所定の高さ以上となった以降の状態では、適当な棒状の操作棒２００を用いてかずら防止器１００の本体１０１を下方から押し上げるだけで設置作業ができる。
【００３８】
図５に示した状態以降において、かずら防止器１００の本体１０１を適宜の高さ位置まで移動させて停止させると、２つの蓋体１１０、１２０がそれぞれ閉じ、蓋体１１０、１２０に設けられた貫通孔１１０ｃが支線５０１に密に接する。これにより、支線５０１の適宜の高さ位置でかずら防止器１００を固定保持することができる。少なくとも、かずら防止器１００を玉がいし５０２を通過した上方位置に位置させれば、蓋体１１０、１２０は下方にしか開かないため、かずら防止器１００は、玉がいし５０２が設けられた位置以上の上部の位置で保持できるようになる。
【００３９】
また、かずら防止器１００の蓋体１１０、１２０に設けられた貫通孔１１０ｃ部分で支線５０１に対する接触状態に緩みが生じて下方の蓋体１２０が玉がいし５０２に接した状態になったとしても、この状態を保持でき、かずら防止器１００の固定位置は、玉がいし５０２の位置以下に下がることはない。
【００４０】
（かずら防止器の固定構造）
次に、かずら防止器１００に固定部材を設けて、固定部材の締め付けによりかずら防止器１００を支線５０１により強固に固定する構成について説明する。固定部材としては、汎用のロックタイを用いて構成できる。
【００４１】
図７−１は、固定部材を示す正面図である。固定部材であるロックタイ３００は、ナイロン等の樹脂材質によりなり、長さ方向に多数の係合溝３０１を有する。一端部３０１ａは、先端がテーパー状に形成され、他端部には、係合突起を有する係合孔３０２が設けられている。
【００４２】
図７−２は、固定部材の使用状態を示す図である。この図に示すように、ロックタイ３００は、束ねたい対象物に巻き付けた後、一端部３０１ａを係合孔３０２に通して環状とし、締め付けることにより、係合溝３０１が係合孔３０２に係合し、この締め付け状態を保持できるものである。ロックタイ３００は、長さ方向に複数の係合溝３０１を有しているため、この長さの範囲内に相当する複数の径の任意の対象物を締結することができる。また、係合溝３０１と係合孔３０２は、締結する方向（縮径）に対しては容易に移動できるが、逆に、締結を解く方向（拡径）には移動しない形状となっており、締結状態が緩むことはない。
【００４３】
図８は、固定部材を備えたかずら防止器を示す下面図、図９は、固定部材を備えたかずら防止器を示す側断面図である。かずら防止器１００の本体１０１の下端部の凹部１０１ｃには、支線５０１を締結するためのロックタイ３００が設けられている。このロックタイ３００は、図７−２に示したように、一端部３０１ａが係合孔３０２に挿入された状態で凹部１０１ｃに設けられており、図８に示すように、このロックタイ３００が有する環の大きさは、蓋体１１０、１２０の外部位置に位置する大きさに拡径された状態とする。これにより、ロックタイ３００が上述した蓋体１１０、１２０の動作に干渉することがない。
【００４４】
かずら防止器１００の下端部には、回転部材３５０が回転自在に設けられている。そして、ロックタイ３００の一端部３０１ａは、回転部材３５０に連結されている。これにより、回転部材３５０を回転させると、ロックタイ３００は、回転部材３５０の外周に巻き取ることができる。回転部材３５０には、ねじ穴３５０ａが設けられ、このねじ穴３５０ａは、かずら防止器１００の下端部に設けられた開口部１０１ｄから外部に表出している。
【００４５】
ねじ穴３５０ａのねじ形状は、図示の例では直線形状とし、マイナスドライバ状の突起のねじが挿入できる形状としたが、これに限らない。たとえば、プラスドライバが挿入できる十字形状や高くレンチが挿入できる多角形状としてもよい。これにより、回転部材３５０を回転させれば、ロックタイ３００の一端部３０１ａが回転部材３５０に巻き取られ、ロックタイ３００が徐々に縮径し、最終的には、ロックタイ３００は支線５０１を締め付ける。
【００４６】
図１０は、固定部材の締結による支線への固定動作を示す動作図である。上述したようにかずら防止器１００の本体１０１を支線５０１に沿って上部位置まで移動させる。この際には、図５を用いて説明した操作棒２００を用いるが、この操作棒２００の先端には、回転部材３５０のねじ穴３５０ａに適合したねじ突起を有するものを用いる。
【００４７】
そして、操作棒２００のねじ突起を回転部材３５０のねじ穴３５０ａに挿入し、操作棒２００を回転させる。これにより、ロックタイ３００の一端部３０１ａが回転部材３５０に巻き取られ、ロックタイ３００が徐々に縮径していく。この際、ロックタイ３００の係合孔３０２は、徐々に支線５０１の方向にずれて移動していく。
【００４８】
最終的には、係合孔３０２が支線５０１に接触して支線５０１を締め付ける。ロックタイ３００の一端部３０１ａは、かずら防止器１００側の回転部材３５０に連結されており、図５に示したような高さ位置まで移動させたかずら防止器１００の本体１０１は、ロックタイ３００を介して支線５０１に固定保持することができる。
【００４９】
また、図１１は、固定部材を備えたかずら防止器の他の構成例を示す側断面図である。図示の例では、蓋体１１０、１２０の内部に固定部材を設け、付勢部材の付勢力によりかずら防止器１００を支線５０１に固定する構成例である。蓋体１１０、１２０の内部空間４００には、中央の支線５０１の方向に向けてスライド自在な固定部材４０１を設ける。
【００５０】
固定部材４０１の先端には、内部空間４００の開口部４００ａを介して外部（支線５０１）の方向に向く突起部４０１ａが設けられている。また、内部空間４００には、固定部材４０１の背面側に付勢部材４０５としてコイルバネが設けられており、付勢部材４０５は、固定部材４０１の突起部４０１ａを開口部４００ａから外部に向けて常時突出するよう付勢する。
【００５１】
この付勢力により、図５に示したような高さ位置まで移動させたかずら防止器１００の本体１０１は、固定部材４０１の突起部４０１ａが支線５０１に密に接することにより、支線５０１に固定保持することができる。また、突起部４０１ａには、ゴム等の弾性部材を設けてもよい。この弾性部材を設けることにより、蓋体１１０、１２０が閉じると突起部４０１ａによる支線５０１との接触状態をより密に保持できるようになり、支線５０１からの滑落を防止し、かずら防止器１００を支線５０１に固定保持することができるようになる。
【００５２】
以上説明したこの実施の形態のかずら防止器によれば、支線の途中に設けられた玉がいしを通過させることができる構成であるため、玉がいしの下部の低い位置、すなわち地上面で支線にかずら防止器を取り付ける作業を行うことができるようになる。そして、支線に取り付けたかずら防止器は、内周面が玉がいしの直径より大きいため、支線に沿って上方に移動させるだけで玉がいしを通過させることができ、玉がいしの上部の位置まで地上面からの作業で移動させることができるようになる。これにより、高所に固定されるかずら防止器の設置作業を地上面から作業員１名だけで行うことができ、高所作業車等を必要とせずに、短時間で効率的に設置できるようになる。
【００５３】
また、開閉する蓋体に支線の径に対応した径の貫通孔を設けたので、玉がいしを通過して蓋体が閉まった後には蓋体が支線に密に接することができ、かずら防止器を支線に固定保持できるようになる。
【００５４】
また、ロックタイからなる固定部材を設け、地上面からの操作で締結操作できる構成としたので、支線に対するかずら防止器の固定をより強固にすることができ、これを簡単な操作で行うことができる。
【００５５】
また、上述した実施の形態では、玉がいし５０２部分を通過可能としたかずら防止器１００について説明したが、支線５０１の途中にかずら防止器１００の通過を阻害する構造物が設けられた構成であれば、玉がいし５０２に限らず同様に適用することができる。たとえば、地上面側にアンカーフックが設けられ、支線をこのアンカーフックを介して取り付ける構成の場合、フック部分が大径となるが、上記構成のかずら防止器１００であれば、このフック部分を容易に通過させることができる。
【００５６】
また、上述した実施の形態では、本体１０１の形状を円筒形状としたが、少なくとも内部に玉がいし等の構造物を通過可能とする空間を有した構成とすればよく、外形の形状は円筒形状に限らず、多角形状としたり、板状にするなど、各種形状としてもよい。
【産業上の利用可能性】
【００５７】
以上のように、この発明にかかるかずら防止器は、支線に対するかずらの巻き付きを防止する各種かずら防止器に適している。
【符号の説明】
【００５８】
１００  かずら防止器
１０１（１０１Ａ、１０１Ｂ）  本体
１０１ｂ  内周面
１１０、１２０  蓋体
１１０ｃ  貫通孔
１１１、１２１  軸
１１２、１２２  付勢部材
２００  操作棒
３００  ロックタイ
３５０  回転部材
４０１  固定部材
５００  電柱
５０１  支線
５０２  玉がいし
６００  樹木
６０１  かずら
【図１】
2010222867.tif 000003
【図２】
2010222867.tif 000004
【図３】
2010222867.tif 000005
【図４】
2010222867.tif 000006
【図５】
2010222867.tif 000007
【図６】
2010222867.tif 000008
【図７−１】
2010222867.tif 000009
【図７−２】
2010222867.tif 000010
【図８】
2010222867.tif 000011
【図９】
2010222867.tif 000012
【図１０】
2010222867.tif 000013
【図１１】
2010222867.tif 000014
【図１２】
2010222867.tif 000015
【図１３】
2010222867.tif 000016